(57)【要約】  壁のコンセントにコードなしに挿入するためのプラグ（７）と、電源ユニットと、充電する低電圧器具を保持する固定部と、電気エネルギーの蓄電ユニットとを有する充電器は、低電圧器具の電源ソケット用の少なくとも１つのアダプタ（４ａ）及び／またはその上に収容可能な低電圧器具の二次巻線に電流を誘導するための一次巻線を含んだ取付け具を有することを特徴とする。【選択図】  図２ｃ
2009523403.tif 000002
【特許請求の範囲】
【請求項１】
壁のコンセントにコードなしで挿入するためのプラグ（７）と、電源ユニットと、充電する低電圧器具（１３）を保持するための固定具と、電気エネルギーの蓄電ユニットとを備えた充電器であって、低電圧器具の電源ソケット用の少なくとも１つのアダプタ（４ａ−４ｅ；２４）及び／または内部に収容可能な低電圧器具の二次巻線に電流を誘導する一次巻線を含む取付け具を備えていることを特徴とする充電器。
【請求項２】
少なくとも１つの支持体、特に種々の小型器具のソケット用のそれぞれの支持プレート（１５、２８）に固定された複数のアダプタを備えていることを特徴とする充電器。
【請求項３】
充電器内の少なくとも１つの支持体はシャフト（２５）上に摺動可能及び／または回転可能に取付けられていることを特徴とする請求項１またな２の充電器。
【請求項４】
シャフト（２５）は充電器がプラグ接続されるコンセントの差込み方向と本質的に同じである請求項３の充電器。
【請求項５】
ソフト（２５）は充電される低電圧器具（１３）にアダプタ（２４）が接続可能な各位置において固定、特に掛留め可能であることを特徴とする請求項３または４の充電器。
【請求項６】
スイッチ（２３）を作動すると、充電する低電圧器具のソケット用のアダプタ（２４）を前記器具を固定具に固定して対応するアダプタ（２４）に電気接触させ充電する位置に配置できることを特徴とする請求項３乃至５のうちの１項の充電器。
【請求項７】
スイッチは回転スイッチ、駆動モータにより作動されるスイッチまたはセンサーを備えたスイッチであることを特徴とする請求項６の充電器。
【請求項８】
スイッチは圧力スイッチ（２３）であり、シャフト（２５）及びシャフト上に収容されるアダプタ支持体（２４Ａ）は圧力スイッチが作動される度にボールペンの原理に基づいて１つの設定回転位置から隣の位置へ移動できることを特徴とする請求項６の充電器。
【請求項９】
アダプタ（２４）が付随する低電圧器具（１３）の名称及び／または低電圧器具（１３）の製造者及び／またはユーザーにより特定される表示を前面ディスプレイパネル上に表示可能であることを特徴とする請求項１乃至８の１項の充電器。
【請求項１０】
スイッチ（２３）、ディスプレイ、アダプタ及び／または充電器の別の要素の位置にはランプが設けられている請求項６乃至９のうち１項の充電器。
【請求項１１】
電源ユニットを保持する本体またはケーシング（１、２０）と、低電圧器具を充電位置で保持する取付け具（５、２２）とを内蔵する請求項１乃至１０のうちの１項の充電器。
【請求項１２】
取付け具は前部取付け具と側部取付け具（５、２２）とより成る請求項１１の充電器。
【請求項１３】
取付け具（５、２２）のうちの少なくとも１つは本体（１、２０）に関して移動及び／またはばねにより付勢可能であることを特徴とする請求項１１または１２の充電器。
【請求項１４】
横方向取付け具は小型装置を上方から保持する可撓性突起部として設計されていることを特徴とする請求項１３の充電器。
【請求項１５】
充電器の横方向取付け具（５、２２）は張力ばね（２９、３０）の復元力に抗してそれらの休止位置から回転可能であるように取付けられていることを特徴とする請求項１４の充電器。
【請求項１６】
小型器具の充電状態を表示する光学的及び／または音響的表示手段（１８）を備えていることを特徴とする請求項１５のうちの１項の充電器。
【請求項１７】
シャフト（２５）及び／またはアダプタ支持体（２８Ａ）はアース出力と、特定の電圧を有する電源ユニットの別の出力との間を導電接続するためのいくつかの摺動接点と、アダプタのアース接点（４ａ−４ｅ；２４）と、電源ユニットのそれ以外の出力に関して電圧が印加されるアダプタの別の接点とを有する請求項３乃至５のうちの１項の充電器。
【請求項１８】
画像、特にプレキシグラスまたはアクリルグラスで作った保護窓の背後に画像を保持する領域を表示する請求項１乃至１７のうちの１項の充電器。
【請求項１９】
光電照明コントローラ（１７）を介して特に作動可能なランプを有する請求項１乃至１８のうちの１項の充電器。
【請求項２０】
プラグ（７）の代わりにまたは付加的に自動車のシガレットライターに接続可能なプラグ（３３）を備えた請求項１乃至１９のうちの１項の充電器。
【発明の詳細な説明】
【技術分野】
【０００１】
本発明は、壁のコンセントにコード無しで挿入するためのプラグ、電源ユニット、充電する低電圧器具を保持するための固定具及び電気エネルギーの蓄電ユニットを備えた充電器に係る。
【０００２】
電源ユニットと蓄電池とを備えた懐中電灯を蓄電池を再充電するため懐中電灯自体に設けたプラグにより交流２３０ボルトのコンセントにプラグ接続することが当該技術分野において知られている。
【０００３】
一方、ドイツ特許公開公報ＤＥ−１９７１２ ６３６ Ａ１はコードにより電源に接続可能な移動体電話のデスクトップ充電ステーションを開示している。
【０００４】
移動体電話は現在の我々の生活に切り離すことのできないものになっており、その人気の上昇が止まらない。新型モデルが出る時間間隔は短縮の一途であり、売り出される新しい移動体電話にはますます多くの技術的特徴が取り入れてられて、使いこなすユーザーの能力が増加している。しかしながら、移動体電話はコードによりコンセントにプラグ接続できる固有の充電器を必要とする。充電用コードを移動体電話に接続するインターフェイスと、充電器のプラグそれ自体の形状及びサイズは製造者により異なる。
【０００５】
ユーザーにとって現在不都合なことは、充電器のコードの長さによるが充電時に移動体電話をコンセントのすぐ隣に配置しなければならないことである。大多数のコードは長すぎるため取り扱いがやっかいであり、もつれ易い。移動体電話は保護されない状態で横に置かれる。移動体電話の傷つきやすい表面に傷がつくか、移動体電話が落下してしまう危険性が非常に大きい。モデルまたは製造者が異なる幾つかの移動体電話が手元にある場合、通常それらには互換性がないため充電器を取り違える危険性がある。
【０００６】
しかしながら、低電圧で動作し電気エネルギーの蓄電ユニット（蓄電池、再充電可能な電池または二次電池）を備えた他の小型電気器具も定期的に再充電する必要がある。これらの装置には、１００ワット以下のオーダーの電力で作動され２乃至２４ボルトの範囲の直流電圧で動作する全ての装置、即ち、携帯用音声及び音楽ファイルプレイヤ、ＭＰ３プレイヤ、カセット、ＣＤ及びＤＶＤプレイヤ、ゲームコンソール、ディクタフォン、電気ドリル及び電気ネジ廻しのような電動工具、蓄電池で動作するミキサーまたはウィスカだけでなく、電動髭剃り器及び電動歯磨き及びウォーターピックが含まれる。
【０００７】
これらの装置は全て交流電源に接続できる再充電可能な電池を備えており、電源ユニットにより例えば３．０Ｖ、４．５Ｖ、６．０Ｖ、９．０Ｖなどの値を有する直流電圧が出力電圧として発生される。しかしながら、上述した装置の一部は小型器具それ自体に内蔵される二次巻線に電流を誘導するための交流電圧回路の一次巻線を収容するのに好適である。二次巻線に発生する交流二次電圧はダイオードまたはサイリスタを有するブリッジ形整流器（グラエツ回路）により整流されるため、小型器具に内蔵される蓄電池の充電が可能となる。
【０００８】
しかしながら、上述したそれ以外の装置の大部分は蓄電池だけを備えているにすぎず、充電ステーションの電源ユニットに変圧器と整流器の両方を内蔵させる必要がある。
【０００９】
本発明の目的は多種多様な小型電気器具の充電に使用可能な充電ステーションを提供することにある。
【００１０】
本発明による充電ステーションは、最大１００ワットの電力、即ち、２乃至２４ボルトの範囲の電圧を有する任意の低電圧器具に好適であるだけでなく、移動体電話用のコードのない充電ステーションとして特に好適である。
【００１１】
例えば、本発明は、移動体電話を直立状態で、特殊設計のインターフェイスに装着できるようにする成形把持手段により、付加的な支持を提供し、裏側にあるプラグでユニット全体をコンセントに接続して、充電時及び充電終了後もそのままの状態にできる能力を提供する。コードが邪魔になることはない。前面のＬＥＤより成る一体的な充電ランプにより充電プロセスを常に把握できる。その結果、本発明は、例えば、壊れやすい移動体電話技術に保護を与える。
【００１２】
移動体電話の傷つきやすいケーシングは、引掻き傷や意図しない損傷から保護される。充電ステーションが正しい寸法であれば、２個以上の移動体電話または幾つかの他の小型器具を同時に充電することが可能である。さらに、充電ステーションの寸法は、例えば、高さが１７５ｍｍ、幅が９０ｍｍ、奥行きが５７ｍｍ（プラグを含まず）であるため、特に、水平方向に並んだ壁のコンセントに数個の充電器を隣り合わせに差込むことができる。このようにすると、例えば、各充電ステーションを壁のコンセントに永続的に差込まれた状態にしてもよい。充電器及び移動体電話または他の小型器具に含まれる過度に長いコードは不要となる。
【００１３】
本発明によると幾つかの利点が得られる。移動体電話は充電時に保護され、充電時に前面から視認可能である。充電コードはもはや不要である。移動体電話は充電時に固定され、落下しないように保護される。充電ステーションはまた、移動体電話をユーザーが携帯しない長期間の間保持するのに好適である。
【００１４】
従属請求項、明細書及び図面は本発明の有利なさらなる実施例を記載する。
【００１５】
充電器に、多種多様な小型器具のソケット用の、少なくとも１つの支持体に固定された複数のアダプタを設けると特に有利である。これは製造者が異なる移動体電話のソケットについて特にそうであり、例えば、手元にある６個の異なるアダプタだけで、市場で人気があり入手可能な全てのタイプの移動体電話のうち９０％を以上を本発明の汎用充電器で充電することができる。
【００１６】
充電器の種々のアダプタ間の切換えを容易に行えるようにするため、充電器の内部の少なくとも１つの支持体がシャフト上に摺動可能及び／または回転可能に取付けられる。
【００１７】
構造設計にかかわる理由により、シャフトはコンセントの差込み方向と本質的に同じ方向で充電器に挿入できるのが好ましく、シャフトはまた差込み方向に対して直角に、または別の方向に向けてもよい。シャフトはアダプタの各位置で固定、特に掛留めめできると有利である。
【００１８】
充電器は、機械式またはモータ駆動のスイッチを作動すると、充電したい低電圧器具の所望のアダプタが、低電圧器具が固定具に固定され、対応のアダプタに電気接触して充電される位置に移動するように設計するのが好ましい。
【００１９】
スイッチまたは機構は設計上回転式または傾動式であるのが好ましい。スイッチが圧力スイッチである場合、アダプタを保持するシャフトはボールペンの原理に基づき作動される度に１つの設定回転位置からその隣の位置へ、所望のアダプタが低電圧器具、特に移動体電話がそのアダプタ上に装着される位置にくるまで移動可能である。
【００２０】
別の有利な実施例において、アダプタが付随する小型器具の名称及び／または小型器具の製造者及び／またはユーザーにより選択される表示を前面のディスプレイパネル上に表示することができる。このようにすると、充電ステーションの使いやすさのレベルがさらに向上する。
【００２１】
本発明の１つの有利な実施例において、充電器のスイッチ、ディスプレイ、アダプタ及び／または別の要素には、ランプ、特に発光ダイオードが取付けられる。特に、充電器に適用されるロゴまたは特殊な設計部分も背面照明可能である。本発明はまたケーシングを任意特定の場所でまたは全体的に背面照明することを含む。
【００２２】
構造上の観点から、充電器は電源ユニットを保持する本体と、小型器具を充電位置で保持する取付け具とを包含するように設計可能である。取付け具は好ましくは前面取付け具と側面取付け具とより成り、充電する小型器具の全面を包含する。
【００２３】
充電する小型器具の特定の寸法に合わせた充電器の外側ジャケットを提供するために、少なくとも１つの取付け具を本体に関して移動、回転及び／またはばね付勢できるようにする。その結果、充電器は、充電する装置を最適の態様で保持し自動的にそのまま、またはユーザーが適当に調整することにより、落下しないように保護する最も適した形状を有する。
【００２４】
この目的で、横方向取付け具を小型器具を上方から保持する可撓性突起部として設計する。特定の実施例において、蓄電器の横方向取付け具は特に垂直軸の周りに回転可能であり、張力ばねの復元力に抗して休止位置から離脱させて充電する小型器具をそれらの間に固定保持するように取付けられる。
【００２５】
充電器は小型器具の充電状態を示す可視的及び／または音響的表示手段を備えるのが好ましい。その結果、ユーザーは小型器具が既に完全な充電状態にあるか否かまたは小型器具が所望の充電状態になるまでどのくらいの時間がかかるかを離れた所から確かめることができる。
【００２６】
本発明の別の好ましい実施例において、アダプタを支持するシャフトには、アース出力と、特定の電圧を有する電源ユニットの別の出力との間を導電接続する幾つかの摺動接点と、アダプタのアース接点並びに電源ユニットのその他の出力に関して電圧が印加されるアダプタの別の接点とが設けられている。
【００２７】
充電器はまた、特にプレキシガラスで作った保護用の窓の背後に画像を保持する領域を持つようにすることが可能である。本発明による充電ステーションの後壁は画像領域を有する変更フレームを設けてもよい。さらに、これにより画像またはグラフィックを変更することが可能となり、各ユーザーはわざわざサーチや比較しないでも自分の移動体電話を個々に認識することができる。
【００２８】
別の実施例において、充電器は特に画像領域のために光電照明コントローラを介して作動可能なランプを有する。
【００２９】
後者は光電照明コントローラにより光電セルで調整可能であるため、充電器は暗闇でも方向を示す光として同時に役立つ。
【００３０】
充電器は、例えば、照明コントローラにより光電セルで制御可能な一体的なランプを有する。従って、本発明は暗闇でも方向を示す光を同時に提供する。
【００３１】
本発明によると、例えば、移動体電話のためのハンズフリー装置（ブルーツース機能）としてのインターフェイスを組込み展開させる幾つかの実施例が可能である。
【００３２】
後部のプラグユニットは、例えばコンセントの上にある光スイッチのような邪魔になりそうなものに対処するように高さを調節可能にするのが好ましい。
【００３３】
本発明の１つの実施例では、充電器の後部に固定された後部プラグユニットは垂直方向のプラグ開口を備えたコンセントが提供する障害物に対処するように回転可能である。
【００３４】
後部プラグユニットはヨーロッパ規格のプラグとして設計するかまたは国別の特殊なプラグに基づき形状が決定される。
【００３５】
別の可能な用途として、本発明の装置は小型スピーカーのための取付け具を有し、そして／または小型スピーカーをケーシングに一体化することが可能である。これにより、充電ステーションに配置されたＭＰ３対応の移動体電話をスピーカーに接続して、保存したＭＰ３のコンテンツの空間音響作用を楽しむことができる。
【００３６】
全ての実施例は、小型器具、特に移動体電話のためのコードのない充電ステーションを提供するという本発明の発明思想に基づくものであり、従来の取扱い上の問題点を解消するものである。
【００３７】
本発明の装置を実施例につき添付図面を参照して以下に詳細に説明する。
【００３８】
第１の充電器（図１）は、一体化された充電用電子装置、即ち、特に出力端子に少なくとも１つの出力直流電圧を発生させる変圧器及び整流器を含む電源ユニットを有するケーシング１より成る。充電器は画像を保持する領域を有する後壁２を備えている。例えば、アクリルガラスより成る画像フレーム３ａは交換可能な画像を保持する画像領域３ｂを有する。複数の利用可能なアダプタ４ａ、４ｂ、４ｃ、４ｄ、４ｅのうちの１つのアダプタ４ａ（図５ｂ）は充電する移動体電話１３（図５ａ）または別の低電圧器具への接続に使用される。
【００３９】
充電器は矢印Ａ及びＢの方向に調整可能な横方向取付け具または掛留め手段５を有するが、これらの取付け具は充電する移動体電話１３を装着するために横方向の圧力を手で加えて自由に選択可能な位置に掛留めすることが可能である。掛留め手段５は再びノブ５ａを作動するとそれらの位置から解放することができる。
【００４０】
図２ａ、２ｂ及び２ｃは、択一的に使用する種々の設計の掛留め手段５ｂ、５ｃ、５ｄを有する幾つかの充電器を示す。さらに、後壁２のモジュラー構成を視認可能に示す。後壁に固定されたプラグ７は図２ｃの例にのみに示したが、これは付随するプラグピン８とで一式である。画像フレーム３ａは後壁上に挿入されている。掛留め手段５ｂ、５ｃ、５ｄとケーシング１、即ちケーシングモジュールも移動体電話の充電端子４ａと同様に側部から視認可能である。モジュラー設計により国別の特殊なプラグ７を後壁２の裏側に固定することが可能である。
【００４１】
プラグ７は垂直方向１０（図３）で調整可能である。さらに、プラグ７は回転手段１１により連続的に回転するようにできる。
【００４２】
本発明の別の実施例（図４）において、掛留め手段５にはスピーカー１４が一体化されるかそれに横方向に固定されている。これにより、装着した移動体電話１３に保存されたファイル、例えばＭＰ３ファイルを音響発信することができる。図４に示す充電器にはさらに、充電する移動体電話１３の充電状態を可視化するための光ディスプレイ１８と、光電セル１７とが設けられている。光電セルが部屋が暗いか照明が低いことを検知すると、充電器ランプが作動される（図示せず）。
【００４３】
図５ａは図１の充電器が移動体電話１３を保持する状態を示すが、アダプタ４がその電源ソケットにプラグ接続されている。移動体電話の他のモデルまたは他の低電圧器具には他のアダプタ４ｂ、４ｃ、４ｄ、４ｅ（図５ｂ）が設けられているが、これらのアダプタは取換え可能なプレート１５上に配置されるかまたはケーシング１に接続可能な他の構造上に配置されるかもしくは充電器内の摺動ストリップ上に配置される。
【００４４】
別の実施例（図６−１２）において、充電ステーションは、移動体電話または別の低電圧器具を保持するための固定具またはコンパートメント２１より成るケーシング２０を有する。後者は矢印Ｃ、Ｄの方向に弾性的に枢動可能な２つの掛留め装置２２の間に保持される。充電器の正面には圧力により作動されるノブ２３があるが、このノブは調整用シャフト（図９）上に配置された複数のアダプタ２４から１つのアダプタ２４（図７）を選択してその位置を設定するものである。ノブ２３は矢印Ｅの方向に加圧して押すことができ、ばねによりその原位置へ復帰する。ノブ２３を作動させる度に、傾斜平面として設計された掛留め用突起部２６はシャフト２５上の対応の傾斜平面２７と協働してシャフト２５を回転させる。シャフト２５はそれぞれのアダプタ２４を支持するプレート２８を備えアダプタ支持体２８Ａを支持する。シャフトが回転するとアダプタ支持体２８Ａも回転して、それぞれのアダプタ２４を充電する小型器具を収容するための外部からアクセス可能な位置、例えば、充電位置に配置することができる。従って、図７に示すように異なるプレート２８が６個存在する場合、各プレートはアダプタ２４を支持して（単純化のために単一アダプタ２４だけを示す）、シャフト２５上に位置するアダプタ支持体２８Ａの一部を形成し、対応する６対の傾斜平面２６、２７があるため、シャフト２５、従ってアダプタ支持体２８Ａはそれぞれ６０°だけ回転できる。ノブ２３及びシャフト２５はボールペンの原理で動作する。それより多数のアダプタを設けた場合も同じことが言える。この場合、シャフト２５は各々がアダプタを支持する幾つかのプレートを支持し、充電する器具のソケットをアダプタ上に摺動できるように位置決めするためにシャフトの縦軸方向に移動させることができる。
【００４５】
掛留め手段２２は、充電する器具をそれらの間に弾性的に保持するに十分な弾性を有する材料で作るか、張力ばね２９、３０の力に抗して掛留め手段２２を調整するための機構を設ける。この目的で、掛留め手段２２はそれぞれシャフト３１上またはシャフト３１を包む中空シャフト３２上に枢着される。
【００４６】
別例として、図６乃至１２に示す充電器には図１乃至５ｂの充電器と同じ構成要素を設ける。従って、本発明は特に如何なる設計及びモデルの移動体電話にも好適であり、移動体電話の蓄電池を保持しそれを充電するためにコンセントに永続的にプラグ接続可能なコードのない充電ステーションを提供する。
【００４７】
別の実施例では、充電ステーション前面のノブ２３により作動させる代わりに、シャフト２５を充電ステーションの側部でアクセス可能なきざみ付きネジを用いて調整する。
【００４８】
さらに、充電ステーションはプラグ７を代わりにまたはそれに付加して自動車のシガレットライターに接続するためのプラグ３３を設けてもよい。後者は直流電圧信号を提供するため、プラグ７を介して受ける主電圧のような電源ユニットにおいて低電圧に変圧・整流する必要なしに調整用シャフト２５及びアダプタの調整ホイール２８Ａの摺動接点に直接転送することが可能である。
【図面の簡単な説明】
【００４９】
【図１】充電する移動体電話が配置される充電器の第一実施例を示す正面図である。
【図２ａ】横方向掛留め手段を用いる図１の充電器の実施例の側面図である。
【図２ｂ】横方向掛留め手段を用いる図１の充電器の実施例の側面図である。
【図２ｃ】横方向掛留め手段を用いる図１の充電器の実施例の側面図である。
【図３】図３は図１に示す充電器の裏面図である。
【図４】移動体電話が配置され小型スピーカーが側部に導入された図１の充電器を示す図である。
【図５ａ】移動体電話が掛留め手段の間に固定された図１の充電器を示す図である。
【図５ｂ】充電器に配置可能な種々のモデルの移動体電話または他の小型器具のための端子ソケットに接続するための直流電圧出力を有するアダプタを備えたプレートである。
【図６】充電ステーションの別の実施例を示す平面図である。
【図７】図６に示す充電ステーションの一部展開斜視図である。
【図８】図６の一部を展開した充電ステーションの平面図である。
【図９】充電ステーションの掛留め手段のための取付け具を前面ノブと共に拡大して示す斜視図である。
【図１０】ノブを省略した図９の掛留め手段を示す斜視図である。
【図１１】ノブとノブがその上に位置する調整用シャフトの斜視図である。
【図１２】図６の充電ステーションの一部破断側面図である。
【図１】
2009523403.tif 000003
【図２ａ】
2009523403.tif 000004
【図２ｂ】
2009523403.tif 000005
【図２ｃ】
2009523403.tif 000006
【図３】
2009523403.tif 000007
【図４】
2009523403.tif 000008
【図５ａ】
2009523403.tif 000009
【図５ｂ】
2009523403.tif 000010
【図６】
2009523403.tif 000011
【図７】
2009523403.tif 000012
【図８】
2009523403.tif 000013
【図９】
2009523403.tif 000014
【図１０】
2009523403.tif 000015
【図１１】
2009523403.tif 000016
【図１２】
2009523403.tif 000017
【国際調査報告】
2009523403.tif 000018
2009523403.tif 000019
2009523403.tif 000020
2009523403.tif 000021
2009523403.tif 000022
2009523403.tif 000023
2009523403.tif 000024
2009523403.tif 000025
2009523403.tif 000026
2009523403.tif 000027
2009523403.tif 000028
2009523403.tif 000029